(57)【要約】【解決手段】無線周波数ロケータシステム（５０）は、無線周波数識別（ＲＦＩＤ）通信システムを使用して通信するよう構成された複数のロケータ要素（５２）と、これらのロケータ要素の少なくとも１個からのロケータ情報を受信するよう構成された少なくとも１個の通信装置（５４）とを有する。無線周波数ロケータシステムは、受信したロケータ情報に基づいて位置情報を表示するよう構成されるユーザインタフェース（１２０）をさらに具備する。ユーザインタフェースは、検索基準を定めるためにユーザ入力を受信するよう構成された複数のユーザ入力フィールドを有する。
2009515427.tif 000002
【特許請求の範囲】
【請求項１】
無線周波数識別（ＲＦＩＤ）通信システムを使用して通信するよう構成された複数のロケータ要素（５２）と、
該複数のロケータ要素の少なくとも１個からのロケータ情報を受信するよう構成された少なくとも１個の通信装置（５４）と、
受信した前記ロケータ情報に基づいて位置情報を表示するよう構成されると共に、検索基準を定めるためにユーザ入力を受信するよう構成された複数のユーザ入力フィールドを有するユーザインタフェース（１２０）と
からなることを特徴とする無線周波数ロケータシステム。
【請求項２】
表示された前記位置情報は、前記少なくとも１個の通信装置の位置を視覚的に示すよう構成されていることを特徴とする請求項１記載の無線周波数ロケータシステム。
【請求項３】
表示された前記位置情報は、前記少なくとも１個の通信装置の移動を視覚的に示すよう構成されていることを特徴とする請求項１記載の無線周波数ロケータシステム。
【請求項４】
前記ユーザインタフェースは、ビル（６０，１４０）の階（６２）のマップ上に前記少なくとも１個の通信装置の位置を示すためのマイクロディスプレー（１３４）を有することを特徴とする請求項１記載の無線周波数ロケータシステム。
【請求項５】
前記ユーザインタフェースは、複数のビル（６０，１４０）のマップ上に前記少なくとも１個の通信装置の位置を示すためのマクロディスプレー（１３６）を有することを特徴とする請求項１記載の無線周波数ロケータシステム。
【請求項６】
前記複数のユーザ入力フィールドの少なくとも１個は、前記複数のユーザ入力フィールドの別の１個のユーザ入力に基づく情報で集中するよう構成されていることを特徴とする請求項１記載の無線周波数ロケータシステム。
【請求項７】
前記複数のロケータ要素は、能動及び受動のＲＦＩＤタグのうちの一方を具備することを特徴とする請求項１記載の無線周波数ロケータシステム。
【請求項８】
前記複数のロケータ要素の少なくとも１個は、ドア枠（５３）内に設けられていることを特徴とする請求項１記載の無線周波数ロケータシステム。
【請求項９】
前記複数のロケータ要素の少なくとも１個は、ビル内の備品（６６，６８）に関連して設けられていることを特徴とする請求項１記載の無線周波数ロケータシステム。
【請求項１０】
前記複数のロケータ要素の少なくとも１個は、ビル内のカーペットの下、又は前記ビルの天井に設けられていることを特徴とする請求項１記載の無線周波数ロケータシステム。
【請求項１１】
前記少なくとも１個の通信装置は、制御システム（７０）に対して前記位置情報を通信するよう構成されていることを特徴とする請求項１記載の無線周波数ロケータシステム。
【請求項１２】
通信は、複数のメッセージが送信される冗長性を有する送信枠組みを有することを特徴とする請求項１１記載の無線周波数ロケータシステム。
【請求項１３】
通信は、連続した逆無線チャンネル送信を有することを特徴とする請求項１１記載の無線周波数ロケータシステム。
【請求項１４】
前記複数のユーザ入力フィールドは、装置フィールド（１２２）、位置フィールド（１２４）、装置追跡フィールド（１２６）、状況フィールド（１３０）及びビルフィールド（１２８）のうちの少なくとも１個を有することを特徴とする請求項１記載の無線周波数ロケータシステム。
【請求項１５】
無線周波数識別（ＲＦＩＤ）通信を提供するよう構成された複数のロケータ要素からのロケータ情報を受信する工程と、
前記ロケータ情報に基づいて通信デバイスの位置を決定する工程と、
決定された前記位置に基づいてディスプレー（１３４）に前記通信装置の位置を表示する工程と
を具備することを特徴とする通信装置の位置決定方法。
【請求項１６】
前記ロケータ情報に基づいて前記通信装置の移動を決定する工程と、
前記ディスプレーに移動を表示する工程と
をさらに具備することを特徴とする請求項１５記載の通信装置の位置決定方法。
【請求項１７】
無線周波数識別（ＲＦＩＤ）通信システムを使用して通信するよう構成された複数のロケータ要素と、
該複数のロケータ要素の少なくとも１個からのロケータ情報を受信するよう構成された少なくとも１個の通信装置と、
複数の中間ローカルデータハブを有する逆無線チャンネルを介して前記少なくとも１個の通信装置から前記ロケータ情報を受信するよう構成された制御システムと
を有することを特徴とする無線周波数ロケータシステム。
【請求項１８】
複数の位置の各々に関連して中間ローカルデータハブが設けられていることを特徴とする請求項２１記載の無線周波数ロケータシステム。
【発明の詳細な説明】
【技術分野】
【０００１】
本発明は、無線通信システムに関し、特に無線周波数識別（ＲＦＩＤ）装置を使用して位置情報を決定するためのシステムに関する。
【背景技術】
【０００２】
異なるシステム及び技術は、位置情報を決定する際に使用することが知られている。例えば、現在の技術は、地球測位システム（ＧＰＳ）と無線三角測量法の一方又は双方に基づいてビル内に人員を配置する。これら方法は、一般に正確な位置情報を提供することができる。しかし、ビルにおいて、境界信号強度及びマルチパス反射のため、これらの方法の正確さは限られている。
【発明の開示】
【発明が解決しようとする課題】
【０００３】
例えば、ＧＰＳ又は無線三角測量法を使用して人を配置するために、この人はＧＰＳ又は無線装置を携帯しなければならず、且つその無線装置は作動中でなければならない。例えば、ビル内の火災、爆発等の非常時又は破局的状況において、後発災害区域の条件又は効果の結果、ＧＰＳ又は無線装置が破壊され、又は作動不能になる可能性が高い。加えて、破局的事件の間、例えばパニックにより、人はＧＰＳ又は無線装置を紛失する可能性がある。これらの状況では、時間が重要であり、信頼性高く正確な位置情報は、破局的事件の後、ビル内に閉じ込められた人が居る可能性のある位置が増加する。さらに、装置自体の中に居る場合を除き、後のアクセスのために位置情報は保存されていないので、ＧＰＳ又は無線装置を有する人の前の位置を決定することが可能でないことが典型的である。特に、位置情報は、典型的には無線で伝送されないで保存されるが、仮に保存される場合は、実際よりもかなり遅い時間にダウンロードによって例えばコンピュータに保存されるのが通常である。
【０００４】
このため、ＧＰＳ又は無線三角測量システムは信頼性の高い位置情報を提供することができるが、状況又は条件に依り、この位置情報は信頼性が高くないか、利用できないおそれがある。さらに、これらのシステムは、最新アーカイブ位置情報へのアクセスを許容しない。
【課題を解決するための手段】
【０００５】
解決手段は、無線周波数識別（ＲＦＩＤ）通信システムを使用して通信するよう構成された複数のロケータ要素と、これらのロケータ要素の少なくとも１個からのロケータ情報を受信するよう構成された少なくとも１個の通信装置とを有する無線周波数ロケータシステムにより提供される。無線周波数ロケータシステムは、受信したロケータ情報に基づいて位置情報を表示するよう構成されると共に、検索基準を定めるためにユーザ入力を受信するよう構成された複数のユーザ入力フィールドを有するユーザインタフェースをさらに具備する。
【０００６】
また、解決手段は、通信装置の位置を決定する方法により提供される。この方法は、ＲＦＩＤ通信を提供するよう構成された複数のロケータ要素からのロケータ情報を受信する工程と、このロケータ情報に基づいて通信デバイスの位置を決定する工程と、決定された位置に基づいてディスプレーに通信装置の位置を表示する工程とを具備する。
【０００７】
さらに、解決手段は、ＲＦＩＤ通信システムを使用して通信するよう構成された複数のロケータ要素と、これらのロケータ要素の少なくとも１個からのロケータ情報を受信するよう構成された少なくとも１個の通信装置とを有する無線周波数ロケータシステムにより提供される。無線周波数ロケータシステムは、複数の中間ローカルデータハブを有する逆無線チャンネルを介して少なくとも１個の通信装置からロケータ情報を受信するよう構成された制御システムをさらに有する。
【発明を実施するための最良の形態】
【０００８】
以下、添付図面を参照して一例として本発明を説明する。
【０００９】
本発明の種々の実施形態は、トランシーバ装置等の携帯通信装置、特にこれら携帯型トランシーバ装置を携帯する個人の位置を決定するためのシステムを提供する。一般に、無線周波数識別（ＲＦＩＤ）装置は、例えばビル内の異なる位置等の区域全体にわたって配置される。これらのＲＦＩＤ装置は次に、携帯通信装置の位置を決定するよう区域を連続的に監視するシステムを提供するのに使用される。
【００１０】
具体的には、図１を参照すると、本発明の種々の実施形態に従って構成されたロケータシステム５０は、複数のロケータ要素５２及び複数の通信装置５４を有する。特に、ロケータ要素５２及び通信装置５４は、無線周波数（ＲＦ）を介して通信し、一般に公知のＲＦＩＤ通信システムに従って作動する。典型的な一実施形態において、ロケータ要素５２はＲＦＩＤ識別タグであり、通信装置５４はＲＦＩＤリーダ又は質問機（interrogator）を有する。ロケータシステム５０は、ロケータ要素５２及び通信装置５４の近接電磁結合又は誘導結合で作動するか、或いは伝搬する電磁波を使用して作動する。
【００１１】
２個以上の通信装置５４は、２個以上のロケータ要素５２と近接検出状態にあってもよいことに留意されたい。また、ＲＦＩＤ通信の代わりに、例えば赤外線通信を含む他の形態及びタイプの無線通信を使用してもよいことに留意されたい。
【００１２】
種々の実施形態において、ロケータ要素５２は、受動無線反射識別タグすなわちＲＦＩＤタグである。これら受動ＲＦＩＤタグは、基本的にバッテリや他の電源を有しておらず、リーダすなわち質問機５６からの無線波がロケータ要素５２のアンテナ５８により検出される際に、エネルギーは、アンテナ５８により、例えばＲＦＩＤタグ内のマイクロチップ（図示せず）の電源を入れることができる電力に変換される。ＲＦＩＤタグは次に、マイクロチップに保存された情報をロケータ要素５２の質問機５６に通信、具体的には送信することができる。例えば、送信される情報は、送信の日付及び時間、情報を送信するロケータ要素５２の位置等を含んでおり、本明細書では一般にロケータ情報と称される。通信装置５２は、ロケータ情報が受信された後、このロケータ情報を「受動」ＲＦＩＤタグ情報に追加しなければならないことに留意されたい。
【００１３】
他の実施形態において、ロケータ要素５２は、能動無線識別タグすなわちＲＦＩＤタグである。これら能動ＲＦＩＤタグは基本的には、ロケータ情報をロケータ要素５２のリーダに通信、具体的には（反射とは反対である）送信するため、送信器（図示せず）を有する。能動ＲＦＩＤタグはバッテリ又は他の電源を有し（例えば、光学的に電力供給され）、ロケータ要素５２のリーダに信号を送信する。
【００１４】
複数のロケータ要素５２は、能動ＲＦＩＤタグのみ、受動ＲＦＩＤのみ又は受動及び能動のＲＦＩＤタグの組合せを有してもよい。どのタイプのＲＦＩＤタグを使用するかの決定は、特定の用途、例えばＲＦＩＤタグが検出されなければならない距離（例えば、長距離対短距離）に基づいてもよい。これは、例えば、関連して実施されるロケータシステム５０を有するビルの寸法及び構成に基づいて決定してもよい。
【００１５】
種々の実施形態において、通信装置５４は、（例えば、特別に設計された、又は既存の装置に一体化された）リーダすなわち質問機５６を有する、例えば携帯電話、携帯情報端末（ＰＤＡ）、ブラックベリー装置等であってもよい。例えば、別体のユニットが、これらの通信装置５４に設けられ、又は一体化されてもよい。或いは、例えば、トランシーバ、プロセッサ、ソフトウエア等の携帯電話内の部品は、リーダ又は質問機５６と同じ機能及び作動を提供するよう変更してもよい。さらに他の代替物は、内部にリーダすなわち質問機５６を有する、ＰＤＡ用の内蔵モジュール等の、通信デバイス５４用の内蔵又は追加ユニットを有する。また、通信装置５４は、例えば無線等の別体のユニット、又は他の通信ユニットであってもよい。
【００１６】
図２に示されるように、典型的な一実施形態において、ロケータシステム５０は、ビル６０に関連して、例えばビル６０の各階６２に関連して実施されている。具体的には、複数のロケータ要素５２は、その階６２のいたるところに配置されている。例えば、ロケータ要素５２は、各戸口（例えば、ドア枠５３内に）、共通廊下、床内、壁内、天井に設けてもよい。他の実施形態において、ロケータ要素５２は、離間した間隔で、例えば所定距離離間して、又は受信範囲に隙間が生じないようにロケータ要素５２の射程に基づいて離間して設けてもよい。さらに他の代替物は、ロケータ要素が所定平方フィート毎に、その階６２の定められた複数の区域６４のうちの各区域内に、又は所定数の区域６４内に設けられることを提供する。また、ロケータ要素５２は、その階６２の異なる部品に関連して、例えば机６６、間仕切り空間６８、床、カーペット等を含む備品に関連して設けてもよい。
【００１７】
ロケータ要素５２の配置は、例えば、ロケータ要素５２が戸口及び種々の備品の双方に配置されるように、混合又は変更してもよいことに留意されたい。ロケータ要素５２は、所定領域内や所定領域の頂上に一体化又は配置されてもよい。例えば、ロケータ要素５２は、図４に示されるようにドア枠５３の外側に取付け、机６６の下に取付け等のために、接着性の裏張りを有するユニットであってもよい。他の実施形態において、ロケータ要素５２は、例えば図３に示されるようにドア枠５３の内側に設けられた、机６６内に製造され封止された、又はカーペットの下又は内部に取り付けられた部品内に、一体化又は取り付けられてもよい。さらに、ロケータ要素５２の配置は、一般的に必要に応じて、例えば用途、構成、意図する使用、目的とするユーザ等に基づいて、設けられてもよい。
【００１８】
作動時に、一般に上述されたように、ロケータ要素５２は、通信装置５４と通信し、装置を携帯する個人の位置決めを可能にする通信装置５４の位置を動的に追跡すると共に保存する。ロケータ要素５２及び通信装置５４は、異なるＲＦＩＤ通信帯域で通信し作動するよう構成されてもよい。例えば、ロケータ要素５２及び通信装置５４は、125〜134ＫHzの低周波帯域、約13.56ＭHzの中間周波数、850〜950ＭHz及び2.4〜2.5ＧHzの高周波帯域で作動するよう構成されてもよい。しかし、ロケータ要素５２及び通信装置５４の作動はこれらの周波数に限定されず、ロケータ要素５２及び通信装置５４は、より低い又はより高い周波数（例えば、特定の用途又は通信のために割り当てられた周波数帯域）で通信するよう構成されてもよい。リーダすなわち質問機５６を有する通信装置５２（例えば携帯電話）を携帯するユーザがロケータ要素５２を通過すると、ロケータ要素からのロケータ情報が、図５に示されるように通信装置５４に送信される。例えば、各ロケータ要素５２は、ビル６０内でロケータ要素５２の位置を示す固有の識別番号を割り当てられてもよい。次に、ロケータ情報は、（固有の識別番号をも有する）通信装置５４から、ビル６０内に位置してもしなくてもよい制御システム７０に通信されてもよい。
【００１９】
制御システム７０は、通信装置５４と通信するトランシーバ７２と、受信されたロケータ情報を処理するプロセッサ７４とを有する。さらに、制御システム７０は、検出されたロケータ要素５２に関連するロケータ情報を保存する記憶装置７６又は他のメモリユニットを有する。例えば、特定の通信装置５４から送信された検出ロケータ要素５２からのロケータ情報がテーブル８０に例えば固有の識別番号に関連して保存された、図６に示されたデータベース又は他のテーブル８０が設けられる。例えば、図６に示されるように、テーブル８０は、ビル６０内で又は特定の階６２（図２参照）で全てのロケータ要素５２等の複数のロケータ要素５２用の固有の各識別番号をリストする識別番号列８２を含んでもよい。テーブル８０はまた、各ロケータ要素５２を識別する識別番号に対応する位置をリストする位置列８４を有する。例えば、位置列８４は、ロケータ要素５２が配置された領域６４（図２参照）、ロケータ要素５２が位置するドア、ロケータ要素５２が位置するテーブル６６（図２参照）、ロケータ要素５２が位置する緯度及び経度、ロケータ要素５２が位置する高度、ロケータ要素が位置する階等を指示してもよい。一般に、位置列８４は、ロケータ要素５２を配置する位置情報を有する。
【００２０】
テーブル８０はまた、ロケータ要素５２から受信された、通信装置５４により受信・送信されたロケータ情報の日付、時間を保存する時間列８６を有する。テーブル８０は、ロケータ情報を送信する通信装置５４を指示する装置送信列８８をさらに有する。例えば、これは、携帯電話番号、固有のシリアル番号、通信装置５４に関連し登録された個人名であってもよい。最後に、テーブル８０は、ロケータ要素５２のバッテリの寿命、（ロケータ要素５２の故障を検出するのに使用可能な）ロケータ要素５２の検出数、ロケータ要素５２の検出間の時間等の情報を含んでもよい状況列９０を有する。
【００２１】
各識別番号に関連して２個以上のデータ入力があってもよいことに留意されたい。例えば、複数の通信装置５４が同一のロケータ要素５２を有してもよいし、単一の通信装置が２個以上のロケータ要素５２を検出してもよい。さらに、ロケータ情報は、例えば所定期間、通信装置５４に保存されてもよいことに留意されたい。
【００２２】
図５を再度参照すると、通信装置５４及び制御システム７０間の通信は、種々の実施形態では無線で提供される。例えば、通信装置５４が携帯電話の場合、携帯電話通信網を使用して通信される。典型的な一実施形態において、通信装置５４及び制御装置７０間の通信は、逆の無線チャンネルが通信、例えば音声下のデータ、デジタル通信チャンネル内の専用枠等を連続して提供する低いデータ速度フォーマットを使用して提供される。この通信リンクは、各主要な位置（例えば、ビル、競技場等）を与える中間ローカルデータハブ（図示せず）を有してもよい。この中間データハブは、ロケータ情報アレーの制御システム７０への集積、包装、保存、移送を促進する。中間データハブは、異なる送信媒体が例えば専用ランドライン、無線手段等を有して使用されることを可能にすると共に、情報移送時に種々の優先で動く選択肢を提供することができる。或いは、例えば所定時間間隔や、或る事件が起こったとき（例えば、携帯電話の内部への又は外部への電話、或いは所定数の検出時）に、周期的に送信されてもよい。
【００２３】
種々の通信に対して冗長性を与えてもよいことに留意されたい。例えば、所定期間内に３個の送信すなわちメッセージを送信してもよい。さらに、公知のように、必要に応じて、送信された信号の衝突又は干渉を最小にするように異なる送信枠組みを実施してもよい。例えば、タイミング信号を使用してもよいし、又は送信を時間計測してもよい。
【００２４】
本発明の典型的な一実施形態に従って位置情報を提供する方法１００は、図７に示されている。特に、工程１０２において、ロケータ情報が通信装置で受信される。例えば、受動又は能動のＲＦＩＤタブ等の１個以上のロケータ要素は、１個以上のロケータ要素の射程（例えば、３〜５メートル）内で通過する通信装置にロケータ情報を送信する。このロケータ情報は、通信装置内に一時的に保存されるか、又は所定期間、保存されてもよい。その後、工程１０４において、１個以上のロケータ要素からの通信装置により受信されたロケータ情報は、制御システムに通信される。例えば、携帯電話は、ビル内（例えば、警備室）又はビル外部（例えば、地域本店）に配置されてもよい中央制御システムに１個以上のロケータ要素からの受信ロケータ情報を通信してもよい。制御システムが受信するロケータ情報は次に、工程１０６で処理される。この工程は、例えば、ロケータ情報を時間刻印すること、具体的ロケータ要素にロケータ情報を関連付けること、検出されたロケータ要素に基づいて通信装置の移動を決定することを含んでもよい。また、処理は、バッテリレベル又はバッテリ量低下警告、信号の強度等のロケータ装置に対応する非位置情報を決定することを含んでもよい。
【００２５】
次に、処理されたロケータ情報が、例えばデータベース又はテーブルにおいて工程１０８で保存される。この保存は、固有の識別番号又は他の判定条件に基づいて処理後の位置情報を体系化又は並べ替えすることを含んでもよい。例えば、特定のロケータ要素に対応して処理後の位置情報を保存することに加えて、処理後の位置情報は、ロケータ情報が受信された通信装置、移動情報（例えば、隣接するロケータ要素からの検出）が受信された時間に基づいて並べ替えてもよい。その後、工程１１０において、処理後のロケータ情報は、図８に示されるように、ディスプレー上に出力され、ユーザインタフェース１２０とのユーザによるアクセスされてもよい。
【００２６】
特に、ユーザインタフェース１２０は、複数の情報、ユーザ入力フィールド及びディスプレーを有してもよい。ユーザ入力フィールドは、以下の詳細に説明するように、検索基準を定めるのに使用してもよい。具体的には、ユーザに特定の通信装置に関連する装置識別番号又は名前を入力可能にする１個以上の装置フィールド１２２（例えば、装置１及び装置２）が設けられる。種々の実施形態において、装置フィールド１２２は、複数の通信装置から又は選択された通信装置の前のリストからユーザが選択できるプルダウンメニュー又はドロップダウンメニューを有するように構成される。このリストは、全ての可能な通信装置を有してもよいし、特定の領域又はビル内で通信装置を単に有してもよい。位置フィールド１２４（例えば、位置１及び位置２）が設けられ、例えば位置１及び位置２等の通信装置の現在の位置をそれぞれ指示する。装置追跡フィールド１２６（装置１追跡及び装置２追跡）が設けられ、一周期の時間又はロケータ要素の数にわたって例えば装置１及び装置２等の通信装置の異なる位置をそれぞれ指示する。また、装置追跡フィールド１２６は、通信装置の相対方向を指示してもよい。
【００２７】
ユーザインタフェース１２０は、任意であるが、通信装置が配置されたビルを表示するかユーザに特定のビルを選択することを可能にする例えばビルフィールド１２８等の他のフィールドを有してもよい。選択に基づいて、他のフィールド（例えば装置フィールド）は、例えば装置が選択されたビル内に現在ある状態で、自動的に集中してもよい。一般的に、１入力（例えば装置フィールド）での選択又は入力は、他のフィールド（例えば装置追跡フィールド）を集中してもよい。他の任意のフィールドは、本明細書に詳細に説明するように、例えば１個以上のロケータ要素の状況を表示する状況フィールド１３０を含む。
【００２８】
また、選択部材で選択可能な任意の機能を設けてもよい。例えばコンピュータマウス当を使用して選択することができる、例えば接触装置選択部材１３２（例えば活性化可能ボタン）により、ユーザは通信装置に接触（例えば、無線通信、又は携帯電話通信）することができる。
【００２９】
また、ユーザインタフェース１３０は、１個以上の通信装置の視覚的表示を提供する１個以上のディスプレーを有してもよい。例えば、マイクロディスプレー１３４及びマクロディスプレー１３６を設けてもよい。マイクロディスプレー１３４は、例えばビルの或る階６２内の１個以上の通信装置の位置を示し、検出されたロケータ要素に基づき通信装置の移動を示す装置追跡１３８を有してもよい。マクロディスプレー１３６は、例えば入り組んだビル内のビル１４０内で１個以上の通信装置の位置を示す。これらのディスプレーは一般に、通信装置の位置が表示された階又はビルの地図又は視覚的代表を示す。これらのディスプレーは、ユーザ入力フィールドと同様に、例えば特定の位置、警告条件の持続等の異なる又は追加の情報を表示するよう、必要に応じて変更してもよい。
【００３０】
このため、ビル内の個人、特に本発明の種々の実施形態に従って構成された通信装置を携帯する個人の位置及び移動を決定することができる。例えば、破局的な事件が生じた場合、ビル内の個人の最後に既知となった位置は、その個人用の通信装置から最後に送信されたロケータ情報に基づいて決定してもよい。また、保存された、アーカイブロケータ及び関連する情報（例えば時間情報）を使用して、個人の移動を決定することができる。これは、例えば、破局的事件の間に通信装置が故障した場合、又は通信装置が落下した場合に有用である。これにより、ロケータ情報は、破局的事件の後、例えばビル内で個人を位置決めするのに有用な情報を提供する。
【００３１】
ロケータシステムに関連して種々の手順を実施してもよいことに留意されたい。例えば、通信装置は、通信装置を有していないビルに入る各個人に与えられてもよい。
【００３２】
例えば、制御システムすなわちコントローラ、又はユーザインタフェースを提供するシステム等の種々の実施形態又は部品は、他のシステムと一体又は別体の１個以上のコンピュータシステムの一部として実施されてもよい。このコンピュータシステムは、例えば、コンピュータ、入力装置、ディスプレー、及びインタネットにアクセスするためのインタフェースを有してもよい。コンピュータはマイクロプロセッサを有してもよい。このマイクロプロセッサは、通信バスに接続されてもよい。また、コンピュータはメモリを有してもよい。メモリは、ランダムアクセスメモリ（ＲＡＭ）及びリードオンリーメモリ（ＲＯＭ）からなってもよい。コンピュータシステムは、ハードディスクドライブ、或いはフロッピーディスクドライブ、光ディスクドライブ等の取外し可能な記憶ドライブである記憶装置をさらに有してもよい。また、記憶装置は、コンピュータシステム内にコンピュータプログラム又は他の命令を読み込むための他の同様の手段であってもよい。
【００３３】
本明細書で使用されているように、「コンピュータ」は、マイクロコントローラ、縮小命令セット回路（ＲＩＳＣ）、特定用途向け集積回路（ＡＳＩＣ）、論理回路、及び本発明に記載された機能を実行することができる他の任意の回路又はプロセッサを使用したシステムを有する、任意のプロセッサベースのシステム又はマイクロプロセッサベースのシステムを有してもよい。上述の例は典型例を示したものに過ぎず、「コンピュータ」の用語の定義、意味を制限する意図は全くない。
【００３４】
コンピュータシステムは、入力データを処理するために、１個以上の記憶要素に保存された１組の命令組を実行する。また、記憶要素は、必要に応じてデータ又は他の情報を保存してもよい。記憶要素は、情報源の形態、又は処理装置内の物理的メモリ要素の形態であってもよい。
【００３５】
１組の命令は、本発明の種々の実施形態の方法等の具体的な作動を実行するよう、処理装置としてコンピュータに命令する種々のコマンドを有してもよい。命令組は、ソフトウエアプログラムの形態であってもよい。ソフトウエアは、システムソフトウエア又は用途ソフトウエア等の種々の形態であってもよい。さらに、ソフトウエアは、分離したプログラムの集合、大きなプロブラム内又はプログラブモジュールの一部の内部のプログラムモジュールの形態であってもよい。また、ソフトウエアは、オブジェクト志向のプログラムの形態モジュラプログラムを有してもよい。処理装置による入力データの処理は、ユーザコマンドに応答して、前の処理の結果に応じて、又は別の処理装置の要求に応答してもよい。
【００３６】
本明細書で使用されているように、「ソフトウエア」及び「ファームウエア」は交換可能であり、ＲＡＭメモリ、ＲＯＭメモリ、ＥＰＲＯＭメモリ、ＥＥＰＲＯＭメモリ、及び非揮発性ＲＡＭ（ＮＶＲＡＭ）メモリを含む、コンピュータで実行するためのメモリに保存された任意のコンピュータプログラムを有する。上述のメモリのタイプは典型例に過ぎないので、コンピュータプログラムの保存に使用可能なメモリのタイプに関し、限定するものではない。
【００３７】
種々の具体的実施形態の観点で本発明を説明したが、当業者であれば、特許請求の範囲の真髄の範囲内で変形を加えることも可能であることを認識されよう。
【図面の簡単な説明】
【００３８】
【図１】本発明の典型的な一実施形態に従って構成されたロケータシステムのブロック図である。
【図２】本発明の典型的な一実施形態に従って構成されたロケータシステムを有するビルの概略ブロック図である。
【図３】本発明の典型的な一実施形態に従って構成されたロケータを有するドアフレームを示す側面図である。
【図４】本発明の典型的な一実施形態に従って構成されたロケータを有する別のドアフレームを示す側面図である。
【図５】本発明の典型的な一実施形態に従った制御システムを用いた通信を示すブロック図である。
【図６】本発明の典型的な一実施形態に従ったロケータ情報を保存する表である。
【図７】本発明の典型的な一実施形態に従って位置情報を提供する方法のフローチャートである。
【図８】本発明の典型的な一実施形態に従って構成されたユーザインタフェースである。
【符号の説明】
【００３９】
５０          無線周波数ロケータシステム
５２          ロケータ要素
５３          ドア枠
５４          通信装置
６０，１４０  ビル
６２          階
６６          机（備品）
６８          間仕切り空間（備品）
７０          制御システム
１２０        ユーザインタフェース
１２２        装置フィールド
１２４        位置フィールド
１２６        装置追跡フィールド
１２８        ビルフィールド
１３０        状況フィールド
１３４        マイクロディスプレー（ディスプレー）
１３６        マクロディスプレー
【図１】
2009515427.tif 000003
【図２】
2009515427.tif 000004
【図３】
2009515427.tif 000005
【図４】
2009515427.tif 000006
【図５】
2009515427.tif 000007
【図６】
2009515427.tif 000008
【図７】
2009515427.tif 000009
【図８】
2009515427.tif 000010
【国際調査報告】
2009515427.tif 000011
2009515427.tif 000012
2009515427.tif 000013